(57)【特許請求の範囲】
【請求項１】
可撓性を備えた平板状で横長状に構成されて、
ロータリ耕耘装置の上部カバーの後端部に横方向に沿って連結される上辺部と、
前記上辺部の反対側に位置する下辺部とを備え、
前記上部カバーの後端部の下方に位置するようにロータリ耕耘装置に備えられた固定部に、前記下辺部の横方向の中央部を連結及び取り外し自在に構成してあるロータリ耕耘装置用の整地部材。
【請求項２】
前記下辺部の横方向の中央部に金属製の中部材を固定し、前記中部材とは分離した横部材を下辺部の一方及び他方の横側部に固定してある請求項１に記載のロータリ耕耘装置用の整地部材。
【請求項３】
前記中部材が下辺部から外方に突出し、前記一方及び他方の横部材が下辺部から外方に突出している請求項２に記載のロータリ耕耘装置用の整地部材。
【請求項４】
前記中部材と一方及び他方の横部材とを連結及び連結解除自在な連結部材を備えてある請求項２又は３に記載のロータリ耕耘装置用の整地部材。
【発明の詳細な説明】
【技術分野】
【０００１】
本発明は、歩行型作業機や乗用型の農用トラクタに装備されるロータリ耕耘装置に使用される整地部材に関する。
【背景技術】
【０００２】
例えば歩行型作業機においてロータリ耕耘装置を備えた場合、特許文献１及び２に開示されているように、ロータリ耕耘装置 (特許文献１の図１の６）の上部カバー (特許文献１の図１の２０）の後端部に、正面視で横長の長方形状の整地部材（特許文献１の図１及び図２の２１）を連結することがある。
これにより、ロータリ耕耘装置によって耕起された土が、整地部材により受け止められて、整地部材の下辺部によって均平面が形成される（均平作業）。
【０００３】
前述のように、ロータリ耕耘装置によって耕起された土を平面状に形成する均平作業に対して、ロータリ耕耘装置によって耕起された土を右及び左の横側に押し分けて、ロータリ耕耘装置の右及び左の横側に畝を形成する畝立て作業がある。畝立て作業を行う場合には、特許文献１及び２のような整地部材をロータリ耕耘装置から取り外し、特許文献３に開示されているような整地部材（特許文献３の図２の１４）を、ロータリ耕耘装置の後部に連結する。
これにより、ロータリ耕耘装置によって耕起された土が、整地部材により右及び左の横側に押し分けられて、右及び左の横側に畝（右及び左の横側の畝の壁部、畝の底部）が形成される。
【０００４】
【特許文献１】特開平６−１５３６０４号公報
【特許文献２】特開平６−１５３６０２号公報
【特許文献３】特開２００３−５２２０２号公報
【発明の開示】
【発明が解決しようとする課題】
【０００５】
例えばロータリ耕耘装置を備えた歩行型作業機において、前述のような均平作業及び畝立て作業を行う場合、ロータリ耕耘装置に２種類の整地部材を連結したり取り外したりする必要があるので、作業性の面で改善の余地がある。
本発明は、歩行型作業機や乗用型の農用トラクタに装備されるロータリ耕耘装置に使用される整地部材において、均平作業及び畝立て作業を適切に行えるように構成することを目的としている。
【課題を解決するための手段】
【０００６】
［Ｉ］
（構成）
本発明の第１特徴は、ロータリ耕耘装置用の整地部材において、次のように構成することにある。
可撓性を備えた平板状で横長状に構成し、ロータリ耕耘装置の上部カバーの後端部に横方向に沿って連結される上辺部と、上辺部の反対側に位置する下辺部とを備え、上部カバーの後端部の下方に位置するようにロータリ耕耘装置に備えられた固定部に、下辺部の横方向の中央部を連結及び取り外し自在に構成する。
【０００７】
（作用）
本発明の第１特徴によると、均平作業を行う場合、整地部材の上辺部をロータリ耕耘装置の上部カバーの後端部に連結した状態において、ロータリ耕耘装置の固定部から整地部材の下辺部を取り外しておく。
これにより、ロータリ耕耘装置の上部カバーの後端部から整地部材の下辺部が垂れ下がる状態となるので、ロータリ耕耘装置によって耕起された土が、整地部材により受け止められて、整地部材の全体が後方 (上方）に移動する状態となるのであり、整地部材の下辺部によって均平面が形成される。
【０００８】
本発明の第１特徴によると、畝立て作業を行う場合、整地部材の上辺部をロータリ耕耘装置の上部カバーの後端部に連結した状態において、整地部材の下辺部の横方向の中央部をロータリ耕耘装置の固定部に連結しておく。
これにより、ロータリ耕耘装置によって耕起された土が、整地部材により受け止められる場合、整地部材の中央部（下辺部）は後方に移動せず（整地部材の下辺部の横方向の中央部がロータリ耕耘装置の固定部に連結されていることによる）、整地部材の一方及び他方の横側部が後方に移動することになり、整地部材の一方及び他方の横側部が斜めに後方に折れ曲がるような状態となる（例えば図８参照）。この状態において、整地部材の中央部（下辺部）によって畝の底部が形成され、整地部材の折れ曲がった一方及び他方の横側部によって右及び左の横側の畝の壁部が形成される。
【０００９】
（発明の効果）
本発明の第１特徴によると、一つのロータリ耕耘装置用の整地部材により均平作業及び畝立て作業が行えるようになり、均平作業及び畝立て作業に応じてロータリ耕耘装置に２種類の整地部材を連結したり取り外したりする必要が無くなって、操作性及び作業性の向上を図ることができた。
【００１０】
［ＩＩ］
（構成）
本発明の第２特徴は、本発明の第１特徴のロータリ耕耘装置用の整地部材において次のように構成することにある。
下辺部の横方向の中央部に金属製の中部材を固定し、中部材とは分離した横部材を下辺部の一方及び他方の横側部に固定する。
【００１１】
（作用）
本発明の第２特徴によると、本発明の第１特徴と同様に前項［Ｉ］に記載の「作用」を備えており、これに加えて以下のような「作用」を備えている。
本発明の第２特徴によると、均平作業において、前項［Ｉ］に記載のように、ロータリ耕耘装置によって耕起された土が、整地部材により受け止められる場合、一方及び他方の横部材によって整地部材の下辺部が不必要に変形し難い点により、整地部材の下辺部によって均平面が安定して形成される。
【００１２】
本発明の第２特徴によると、畝立て作業において、前項［Ｉ］に記載のように、ロータリ耕耘装置によって耕起された土が、整地部材により受け止められる場合、中部材と一方の横部材との間、及び中部材と他方の横部材との間を起点として、整地部材の一方及び他方の横側部が斜めに後方に折れ曲がるような状態となるので（整地部材の一方及び他方の横側部が斜めに後方に折れ曲がる位置がバラ付くようなことがないので）、整地部材の一方及び他方の横側部によって右及び左の横側の畝の壁部が安定して形成される。
整地部材の中央部（下辺部）によって畝の底部が形成される場合、中部材によって整地部材の中央部（下辺部）が不必要に変形し難い点により、整地部材の中央部（下辺部）によって畝の底部が安定して形成される。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、均平作業において均平面が安定して形成され、畝立て作業において右及び左の横側の畝の壁部、畝の底部が安定して形成されるようになって、作業性能の向上を図ることができた。
【００１４】
［ＩＩＩ］
（構成）
本発明の第３特徴は、本発明の第２特徴のロータリ耕耘装置用の整地部材において次のように構成することにある。
中部材が下辺部から外方に突出し、一方及び他方の横部材が下辺部から外方に突出している。
【００１５】
（作用）
本発明の第３特徴によると、本発明の第２特徴と同様に前項［Ｉ］［ＩＩ］に記載の「作用」を備えており、これに加えて以下のような「作用」を備えている。
前項［Ｉ］に記載のように、整地部材を可撓性を備えた平板状で横長状に構成する場合（例えば整地部材をゴム板で構成する場合）、土に常に接触する整地部材の下辺部の磨耗が懸念される。
本発明の第３特徴によると、中部材が整地部材の下辺部から外方に突出し、一方及び他方の横部材が整地部材の下辺部から外方に突出しているので、中部材、一方及び他方の横部材によって整地部材の下辺部が土から保護される状態となり、整地部材の下辺部の磨耗が抑えられる。
【００１６】
（発明の効果）
本発明の第３特徴によると、本発明の第２特徴と同様に前項［Ｉ］［ＩＩ］に記載の「発明の効果」を備えており、これに加えて以下のような「発明の効果」を備えている。
本発明の第３特徴によると、中部材、一方及び他方の横部材によって整地部材の下辺部が土から保護される状態となり、整地部材の下辺部の磨耗が抑えられるようになって、整地部材の耐久性の向上を図ることができた。
【００１７】
［ＩＶ］
（構成）
本発明の第４特徴は、本発明の第２又は第３特徴のロータリ耕耘装置用の整地部材において次のように構成することにある。
中部材と一方及び他方の横部材とを連結及び連結解除自在な連結部材を備える。
【００１８】
（作用）
本発明の第４特徴によると、本発明の第２又は第３特徴と同様に前項［Ｉ］［ＩＩ］［ＩＩＩ］に記載の「作用」を備えており、これに加えて以下のような「作用」を備えている。
本発明の第４特徴によると、均平作業において、連結部材により中部材と一方及び他方の横部材とを連結することにより、中部材と一方及び他方の横部材とが一つの部材となるようにする。
これにより、ロータリ耕耘装置によって耕起された土が、整地部材により受け止められる場合、前項［ＩＩ］に記載のように、中部材、一方及び他方の横部材により整地部材の下辺部がさらに変形し難くなるのであり、整地部材の下辺部によって均平面が安定して形成される。
【００１９】
本発明の第４特徴によると、畝立て作業において、中部材と一方及び他方の横部材との連結を解除することにより、中部材と一方及び他方の横部材とが互いに切り離された状態となるので、前項［ＩＩ］［ＩＩＩ］に記載の状態を得ることができ、畝立て作業を支障なく行うことができる。
【００２０】
（発明の効果）
本発明の第４特徴によると、本発明の第２又は第３特徴と同様に前項［Ｉ］［ＩＩ］［ＩＩＩ］に記載の「発明の効果」を備えており、これに加えて以下のような「発明の効果」を備えている。
本発明の第４特徴によると、均平作業において均平面が安定して形成されるようになって、作業性能の向上を図ることができた。
【発明を実施するための最良の形態】
【００２１】
図１及び図２に示すように、ミッションケース１の下部の右及び左側部に車軸２が備えられて、右及び左の車軸２に走行用の車輪３が連結されており、ミッションケース１の前部に連結された支持フレーム４にエンジン５が支持されて、歩行型作業機が構成されている。ミッションケース１の上部から斜め後方下方に伝動ケース６が延出されて、伝動ケース８から斜め後方上方に操縦ハンドル７が延出されており、伝動ケース６にロータリ耕耘装置８が備えられている。
【００２２】
次に、ロータリ耕耘装置８について説明する。
図１及び図２に示すように、伝動ケース６の下部から右及び左側に駆動軸９が延出されて、右及び左の駆動軸９に複数の耕耘爪１０が固定されており、耕耘爪１０の上方を覆う上部カバー１１、及び抵抗棒１２等を備えて、ロータリ耕耘装置８が構成されている。右及び左の駆動軸９及び耕耘爪１０は、通常は正転方向（図３の矢印Ａ１の方向）に回転駆動されるのであり、逆転方向（図３の矢印Ａ２の方向）にも回転駆動することが可能である。
【００２３】
次に、上部カバー１１について説明する。
図３及び図４に示すように、上部カバー１１は、半円筒状の天井部１１ａの右及び左側部に、扇形状の横壁部１１ｂが連結されて構成され、伝動ケース６の上方、右及び左の駆動軸９及び耕耘爪１０の上方を覆っており、伝動ケース６のブラケット６ａに上部カバー１１（天井部１１ａ）が連結されている。
【００２４】
次に、抵抗棒１２について説明する。
図３及び図４に示すように、伝動ケース６に固定されたブラケット１３が後方に延出され、幅狭の角パイプ状のブラケット１４がブラケット１３に固定されて、ブラケット１４が上部カバー１１（天井部１１ａ）の開口部から上方に突出している。コ字状に折り曲げられた支持部材１５がブラケット１４の上部に固定されており、Ｌ字状の固定ピン１６が支持部材１５にスライド自在（図４の紙面左右方向）及び回転自在に支持されて、固定ピン１６をブラケット１４の開口部（図示せず）から挿入側（図４の紙面右方）に付勢するバネ１７が備えられている。
【００２５】
図３及び図４に示すように、抵抗棒１２は細長い平板の棒状に構成されて、抵抗棒１２の下部に平板状の接地部１２ａ (ロータリ耕耘装置８の固定部に相当）が固定されて後方に延出されており、複数個の固定孔１２ｂが抵抗棒１２の上部に長手方向に沿って開口されている。図３及び図４に示す状態は、抵抗棒１２がブラケット１４に挿入されて、固定ピン１６が抵抗棒１２の固定孔１２ｂの一つに挿入された状態であり、抵抗棒１２がブラケット１４に固定された状態である。この状態で、伝動ケース６の真後ろに抵抗棒１２が位置しており、上部カバー１１（天井部１１ａ）の後端部の左右方向中央部の下方に、抵抗棒１２の接地部１２ａが位置している。
【００２６】
図３及び図４に示す状態において、右及び左の駆動軸９及び耕耘爪１０を正転方向（図３の矢印Ａ１の方向）に回転駆動しながら前進することにより、圃場の耕耘（耕起）が行われる。抵抗棒１２の接地部１２ａが圃場に接地することにより、圃場に対するロータリ耕耘装置８の高さが決められて、ロータリ耕耘装置８の耕耘深さが決められる。
【００２７】
図３及び図４に示すように、固定ピン１６を図４の紙面左方に引き抜き、約９０度回転させて、支持部材１５の折り曲げ部１５ａに掛けておくことにより、固定ピン１６を引き抜き状態に保持することができる。固定ピン１６の引き抜き状態において、抵抗棒１２の位置をブラケット１４に沿って変更し、固定ピン１６を抵抗棒１２の別の固定孔１２ｂに挿入することにより、ロータリ耕耘装置８に対する抵抗棒１２（接地部１２ａ）の高さを変更することができるのであり、これによってロータリ耕耘装置８の耕耘深さを変更することができる。
【００２８】
次に、整地部材１８について説明する。
図２，３，４に示すように、整地部材１８は、可撓性を備えたゴム板により平板状に構成されて、横長状（長方形状）（図４参照）に構成されている。整地部材１８の上辺部１８ａが、上部カバー１１（天井部１１ａ）の後端部１１ｃと略同じ長さ（幅）に設定されており、上部カバー１１（天井部１１ａ）の後端部１１ｃの上面（後面）に沿って、整地部材１８の上辺部１８ａが載せ付けられ、整地部材１８の上辺部１８ａと略同じ長さ（幅）を備えた固定部材１９（金属製の細長い平板の棒状）が載せ付けられいる。固定部材１９の複数箇所において、ボルト２０が上部カバー１１（天井部１１ａ）の後端部１１ｃ、整地部材１８の上辺部１８ａ及び固定部材１９に貫通して締め付けられており、固定部材１９及びボルト２０によって、整地部材１８の上辺部１８ａが上部カバー１１（天井部１１ａ）の後端部１１ｃに横方向に沿って連結されている。
【００２９】
図３，４，５に示すように、中部材２１、一方及び他方の横部材２２が備えられて、中部材２１、一方及び他方の横部材２２が、金属製の板材によって横長の鋸歯状に構成されており、側面視で「く」字状に折り曲げられて構成されている（図３参照）。整地部材１８の下辺部１８ｂの横方向の中央部で抵抗棒１２側の部分に、中部材２１がボルト２３によって固定されて、整地部材１８の下辺部１８ｂの横方向の中央部よりも中部材２１が外方に突出しており、中部材２１の横方向の中央部に連結ピン２４が固定されている。
【００３０】
図４及び図５に示すように、整地部材１８の下辺部１８ｂの一方及び他方の横側部で抵抗棒１２側の部分に、一方及び他方の横部材２２がボルト２３によって固定され、整地部材１８の下辺部１８ｂの一方及び他方の横側部から、一方及び他方の横部材２２が外方に突出している。中部材２１と一方の横部材２２との間にスリット状の隙間が形成されており、中部材２１と他方の横部材２２との間にスリット状の隙間が形成されている（図４参照）。
【００３１】
図４及び図５に示すように、中部材２１において、ボルト２３の一方及び他方の横外側部に、折り曲げられた（折り返された）受け部２１ａが備えられ、受け部２１ａが整地部材１８の下辺部１８ｂにおける抵抗棒１２とは反対側に位置している。一方及び他方の横部材２２において、整地部材１８の下辺部１８ｂにおける抵抗棒１２とは反対側に、連結部材２５がボルト２３に揺動自在に支持されている。
【００３２】
次に、均平作業について説明する。
図４，５，６に示すように、均平作業を行う場合、ボルト２３を少し緩め、連結部材２５を中部材２１の受け部２１ａに挿入し、ボルト２３を再び締め付けて、連結部材２５を固定する。これにより、中部材２１、一方及び他方の横部材２２が互いに連結された状態となり、中部材２１と一方及び他方の横部材２２とが一つの部材となる。連結ピン２４は抵抗棒１２の接地部１２ａに連結せずに、抵抗棒１２の接地部１２ａから取り外した状態としておく。
【００３３】
この状態において、図４，５，６に示すように、上部カバー１１（天井部１１ａ）の後端部１１ｃから、整地部材１８の下辺部１８ｂ（中部材２１、一方及び他方の横部材２２）が垂れ下がる状態となリ、整地部材１８の下辺部１８ｂ（中部材２１、一方及び他方の横部材２２）が直線状になって、整地部材１８の全体が後方 (上方）に移動する状態となる。
【００３４】
図６に示すように、機体の前進に伴い、ロータリ耕耘装置８において、右及び左の駆動軸９及び耕耘爪１０を正転方向（図３の矢印Ａ１の方向）に回転駆動することにより、耕起された土が整地部材１８により受け止められて、整地部材１８の全体が後方 (上方）に移動する状態となるのであり、整地部材１８の下辺部１８ｂ（中部材２１、一方及び他方の横部材２２）によって均平面が形成される。
この場合、図４及び図５に示すように、連結部材２５を中部材２１の受け部２１ａから抜き出して離し、ボルト２３を再び締め付けて、連結部材２５を固定し、中部材２１、一方及び他方の横部材２２が互いに連結解除された状態となるようにして、前述のように均平作業を行ってもよい。
【００３５】
次に、畝立て作業について説明する。
図７及び図８に示すように、畝立て作業を行う場合、ボルト２３を少し緩め、連結部材２５を中部材２１の受け部２１ａから抜き出して離し、ボルト２３を再び締め付けて、連結部材２５を固定する。これにより、中部材２１、一方及び他方の横部材２２が互いに連結解除された状態となる。整地部材１８の中央部（下辺部１８ｂ）を抵抗棒１２側に丸めるようにして、中部材２１を抵抗棒１２側に移動させ、抵抗棒１２の接地部１２ａの開口部（図示せず）に連結ピン２４を上側から挿入して、抜け止めピン２６を連結ピン２４に取り付けて、中部材２１を抵抗棒１２の接地部１２ａに連結する。
【００３６】
この状態において、図７及び図８に示すように、機体の前進に伴い、ロータリ耕耘装置８において、右及び左の駆動軸９及び耕耘爪１０を正転方向（図７の矢印Ａ１の方向）に回転駆動することにより、耕起された土が整地部材１８により受け止められる場合、整地部材１８の中央部（下辺部１８ｂ）は後方に移動せず（中部材２１が抵抗棒１２の接地部１２ａに連結されていることによる）、整地部材の一方及び他方の横側部が後方に移動することになる。
【００３７】
これにより、図４に示すように、中部材２１と一方の横部材２２との間、及び中部材２１と他方の横部材２２との間を起点とし、整地部材１８における一点鎖線Ｂ１の付近を折り曲げ線として、図８に示すように、整地部材１８の一方及び他方の横側部が斜めに後方に折れ曲がるような状態となる。この状態において、整地部材１８の中央部（下辺部１８ｂ）及び中部材２１によって畝Ｃの底部Ｃ１が形成され、整地部材１８の折れ曲がった一方及び他方の横側部（一方及び他方の横部材２２）によって、右及び左の横側の畝Ｃの壁部Ｃ２が形成される。
【００３８】
この場合、中部材２１が抵抗棒１２の接地部１２ａに連結されていることにより、畝Ｃの底部Ｃ１が平面状に安定して形成されるのであり、右及び左の横側の畝Ｃの壁部Ｃ２と畝Ｃの底部Ｃ１との間の部分も、角部状に明確に形成される。整地部材１８の一方及び他方の横側部が斜めに後方に折れ曲がるような状態となることにより、一方及び他方の横部材２２が右及び左の横側の畝Ｃの壁部Ｃ２に接触する状態となっているので、右及び左の横側の畝Ｃの壁部Ｃ２が安定して形成される。
【００３９】
［発明の実施の第１別形態］
前述の［発明を実施するための最良の形態］の図３及び図７において、上部カバー１１（天井部１１ａ）の円周方向に沿って、伝動ケース６のブラケット６ａへの上部カバー１１（天井部１１ａ）の連結位置を変更することにより、上部カバー１１を駆動軸９を中心として回転させるように姿勢変更することができるように構成してもよい。このように構成すると、上部カバー１１（天井部１１ａ）の後端部１１ｃの位置を上下に変更することができるのであり、これに伴って整地部材１８の位置も上下に変更することができる。
【００４０】
［発明の実施の第２別形態］
前述の［発明を実施するための最良の形態］［発明の実施の第１別形態］において、中部材２１、一方及び他方の横部材２２を廃止し、整地部材１８の中央部（下辺部１８ｂ）を抵抗棒１２の接地部１２ａに直接に連結及び取り外し自在に構成してもよい。
本発明は、走行用の車輪２とロータリ耕耘装置とを別々に備えた歩行型作業機ばかりではなく、図１及び図２において走行用の車輪２を廃止し、右及び左の車軸２に耕耘爪１０を連結してロータリ耕耘装置８を構成した歩行型作業機や、乗用型の農用トラクタに装備されるロータリ耕耘装置８にも適用できる。
【図面の簡単な説明】
【００４１】
【図１】歩行型作業機の全体側面図
【図２】歩行型作業機の全体平面図
【図３】ロータリ耕耘装置及び整地部材の縦断側面図（均平作業）
【図４】ロータリ耕耘装置及び整地部材の背面図（均平作業）
【図５】整地部材、中部材、一方及び他方の横部材の付近の斜視図
【図６】ロータリ耕耘装置及び整地部材の斜視図（均平作業）
【図７】ロータリ耕耘装置及び整地部材の縦断側面図（畝立て作業）
【図８】ロータリ耕耘装置及び整地部材の背面図（畝立て作業）
【符号の説明】
【００４２】
８      ロータリ耕耘装置
１１    ロータリ耕耘装置の上部カバー
１１ｃ  ロータリ耕耘装置の上部カバーの後端部
１２ａ  ロータリ耕耘装置の固定部
１８ａ  整地部材の上辺部
１８ｂ  整地部材の下辺部
２１    中部材
２２    横部材
２５    連結部材
【図１】
0004861359.tif 000002
【図２】
0004861359.tif 000003
【図３】
0004861359.tif 000004
【図４】
0004861359.tif 000005
【図５】
0004861359.tif 000006
【図６】
0004861359.tif 000007
【図７】
0004861359.tif 000008
【図８】
0004861359.tif 000009